(57)【特許請求の範囲】
【請求項１】
導電性の端子と、前記端子を保持する絶縁性の台座とを備え、
前記台座が、前記端子を設置する設置面を備える端子台であって、
前記台座が、前記設置面を具備する台部と、前記設置面から立ち上がり、前記設置面における１つの前記端子の設置領域と、他の領域とを端子幅方向において隔てる複数の障壁と、前記障壁の延在方向における一方側の領域及び他方側の領域のうち、前記障壁の存在しない他方側の領域で前記設置面から立ち上がり、複数の前記障壁の並び方向に沿って延在する壁部と、前記壁部を前記延在方向に貫通し、前記並び方向に沿って延在するスリットとを備え、
前記スリットを囲む複数の面のうちの１つが、前記設置面の一部の領域によって構成され、
前記台座が、前記スリットを囲む複数の面のうち、前記設置面に設置された前記端子を介して前記設置面に対向する対向面、から突出して前記端子を端子厚み方向に沿って前記設置面に向けて押圧する第１押圧突起及び第２押圧突起を備え、
前記端子が、前記並び方向の一方側の側面から一方側に向けて突出する第１突出部と、前記並び方向の他方側の側面から他方側に向けて突出する第２突出部とを、前記延在方向における一方側の端部及び他方側の端部のうち、他方側の端部だけに備え、前記延在方向の他方側から一方側に向けて前記スリットに通されて前記設置面に設置され、
前記第１押圧突起が、前記設置面に設置された前記端子の前記第１突出部を押圧し、
前記第２押圧突起が、前記設置面に設置された前記端子の前記第２突出部を押圧する、端子台。
【請求項２】
前記端子が、端子長手方向の一方側の領域に貫通口を備え、且つ端子幅方向を前記並び方向に沿わせる姿勢で前記設置面に設置され、
前記設置面が、前記障壁の延在方向における一方側の領域に穴を備え、
前記穴が、前記設置面に設置された前記端子の前記貫通口に通された固定具を挿入されるものである、
請求項１に記載の端子台。
【請求項３】
前記端子が、折り曲げ加工による曲がり部よりも一方側の第１端子部と、他方側の第２端子部とを備え、
前記第１端子部が、前記設置面に設置され、
前記第２端子部が、前記壁部に設置される、
請求項１又は２に記載の端子台。
【請求項４】
前記台座が、前記延在方向において、前記第１突出部の一方側の端に当接する第１当接壁と、前記第２突出部の一方側の端に当接する第２当接壁とを備える、
請求項３に記載の端子台。
【請求項５】
前記並び方向において互いに対向する２つの前記障壁のそれぞれが、相手の前記障壁との対向面から突出し、互いの間に設置された前記端子の前記並び方向の動きを規制する規制部を備える、
請求項４に記載の端子台。
【発明の詳細な説明】
【技術分野】
【０００１】
本発明は、端子台に関する。
【背景技術】
【０００２】
従来、複数の機器、装置等を互いに電気接続するための端子台として、導電性の端子と、端子を保持する絶縁性の台座とを備え、且つ、端子を設置する設置面を台座に備えるものが知られている。
【０００３】
例えば、特許文献１に記載の端子台は、導電性の端子と、絶縁性の台座たる端子台ブロックとを備える。端子台ブロックは、設置面たる上面と、上面から立下がる側面とを備える。端子は、先端部を端子台ブロックの側面よりも側方に突出させる姿勢で、端子台ブロックの上面に設置される。端子台ブロックの側面には、２つの突起部が設けられる。２つの突起部のそれぞれは、端子台ブロックの上面よりも上方に突出している部分で、端子の先端部を端子幅方向に沿って互いに挟み込む。この挟み込みにより、端子が端子台ブロックに保持される。
【先行技術文献】
【特許文献】
【０００４】
【特許文献１】特開２０１７−５０１３６号公報
【発明の概要】
【発明が解決しようとする課題】
【０００５】
特許文献１に記載の端子台は、端子を台座（端子台ブロック）に対して後付けするアウトサート方式の端子台である。アウトサート方式の端子台は、端子を台座に強固に固定していない状態で出荷されるのが一般的である。これは次に説明する理由による。即ち、端子台の納入先においては、端子台の端子と、機器等から延びるケーブル端子とを重ねた状態でボルト締付等によって一緒に台座に固定する作業が行われ、このときに、台座に対する端子の固定が最終的に行われる。納入先に納入された端子台の端子が、ボルト締付等によって強固に台座に固定された状態であると、前述の作業に先立って、強固に締め付けられたボルトの締め付けを緩める、更には、ボルトを取り外す、などといった手間のかかる準備作業が発生してしまう。このため、端子台は、ボルト等の固定具を台座に取り付けていない状態、あるいは、固定具を簡単に取り外せるように台座に仮取り付けした状態で出荷されるのが一般的なのである。
【０００６】
かかる端子台においては、納入先への運搬中に、振動等によって端子を台座から脱落させてしまうおそれがある。脱落を抑えるためには、何らかの手段によって端子に対して設置面に拘束する力を積極的に付与しておく必要がある。
【０００７】
特許文献１に記載の端子台では、端子を挟み込む２つの突起部の距離Ｄ１を端子の幅Ｗよりも小さくし、且つ、締め代（Ｗ−Ｄ１）を、２つの突起部に対して所望の挟込力を発揮させ得る値にすれば、台座からの端子の脱落の発生を抑えることが可能である。
【０００８】
しかしながら、前述の締め代は、所定の最小値を下回ると、２つの突起部に対して所望の挟込力を発揮させることができなくなる一方で、所定の最大値を上回ると、２つの突起部に損傷を与えてしまう。このため、前述の締め代については所定の公差（許容差）に収める必要があり、そのために、金属からなる端子を高精度に加工する必要が生じて、コスト高になってしまうという課題がある。
【０００９】
本発明は、以上の背景に鑑みてなされたものであり、その目的とするところは、端子を高精度に加工することによるコスト高を抑えつつ、台座からの端子の脱落の発生を抑えることができる端子台を提供することである。
【課題を解決するための手段】
【００１０】
本発明は、導電性の端子と、前記端子を保持する絶縁性の台座とを備え、前記台座が、前記端子を設置する設置面を備える端子台であって、前記台座が、前記設置面を具備する台部と、前記設置面から立ち上がり、前記設置面における１つの前記端子の設置領域と、他の領域とを前記端子幅方向において隔てる複数の障壁と、前記障壁の延在方向における一方側の領域及び他方側の領域のうち、前記障壁の存在しない他方側の領域で前記設置面から立ち上がり、複数の前記障壁の並び方向に沿って延在する壁部と、前記壁部を前記延在方向に貫通し、前記並び方向に沿って延在するスリットとを備え、前記スリットを囲む複数の面のうちの１つが、前記設置面の一部の領域によって構成され、前記台座が、前記スリットを囲む複数の面のうち、前記設置面に設置された前記端子を介して前記設置面に対向する対向面、から突出して前記端子を端子厚み方向に沿って前記設置面に向けて押圧する第１押圧突起及び第２押圧突起を備え、前記端子が、前記並び方向の一方側の側面から一方側に向けて突出する第１突出部と、前記並び方向の他方側の側面から他方側に向けて突出する第２突出部とを、前記延在方向における一方側の端部及び他方側の端部のうち、他方側の端部だけに備え、前記延在方向の他方側から一方側に向けて前記スリットに通されて前記設置面に設置され、前記第１押圧突起が、前記設置面に設置された前記端子の前記第１突出部を押圧し、前記第２押圧突起が、前記設置面に設置された前記端子の前記第２突出部を押圧する、端子台である。
【発明の効果】
【００１１】
本発明によれば、端子を高精度に加工することによるコスト高を抑えつつ、台座からの端子の脱落の発生を抑えることができるという優れた効果がある。
【図面の簡単な説明】
【００１２】
【図１】実施形態に係る端子台を示す斜視図である。
【図２】同端子台を図１とは異なるアングルから示す斜視図である。
【図３】各端子を取り外した状態の台座を、各端子とともに示す斜視図である。
【図４】同台座を障壁延在方向の他方側から平面的に示す図である。
【図５】図４に示される台座における並び方向の中央部を拡大して示す図である。
【図６】同端子台を図１の一点鎖線の位置で破断した断面における並び方向の中央部を示す断面図である。
【図７】同端子台を端子厚み方向の端子側から平面的に示す図である。
【図８】同台座に対する端子のセット操作が行われている最中の同端子台を示す斜視図である。
【図９】並び方向と障壁延在方向とに延びる破断面で破断した状態の同端子台を示す断面図である。
【発明を実施するための形態】
【００１３】
以下、各図を用いて、本発明を適用した端子台の一実施形態について説明する。なお、各図において、末尾に「Ｕ」という記号を有する符号が付される部材等は、三相電源におけるＵ相のために設けられるものである。また、末尾に「Ｖ」という記号を有する符号が付される部材等は、三相電源におけるＶ相のために設けられるものである。また、末尾に「Ｗ」という記号を有する符号が付される部材等は、三相電源におけるＷ相のために設けられるものである。各図では、Ｕ相用の部材等、Ｖ相用の部材等、Ｗ相用の部材等を、所定の順序で並べて示すが、並び順は各図に示される順序に限られない。
【００１４】
各図に示される矢印Ｘは、後述する障壁（３３ａ〜ｆ）の並び方向に沿った方向である。また、各図に示される矢印Ｙは、後述する障壁（３３ａ〜ｆ）の延在方向に沿った方向である。また、各図に示される矢印Ｚは、後述する端子（２Ｕ、２Ｖ、２Ｗ）の厚み方向に沿った方向である。矢印Ｘ方向と矢印Ｙ方向とは、互いに直交する。また、矢印Ｚ方向は、矢印Ｘ方向、及び矢印Ｙ方向の両方に直交する。
【００１５】
図１は、実施形態に係る端子台１を示す斜視図である。図２は、端子台１を図１とは異なるアングルから示す斜視図である。図１、及び図２において、端子台１は、端子２Ｕ、端子２Ｖ、端子２Ｗ、及び台座３０を備える。端子２Ｕ、端子２Ｖ、及び端子２Ｗは、何れも銅合金からなり、導電性を有する。また、台座３０は、絶縁性の樹脂からなる。
【００１６】
図３は、各端子（２Ｕ、２Ｖ、２Ｗ）を取り外した状態の台座３０を、各端子とともに示す斜視図である。図３に示されるように、台座３０は、端子（２Ｕ、２Ｖ、２Ｗ）を設置するための設置面３２を有する台部３１と、設置面３２から立ち上がる壁部４０とを備える。
【００１７】
台座３０は、設置面３２から突出した状態で、所定の並び方向（矢印Ｘ方向）に並ぶ第１障壁３３ａ、第２障壁３３ｂ、第３障壁３３ｃ、第４障壁３３ｄ、第５障壁３３ｅ、及び第６障壁３３ｆを備える。第１障壁３３ａは、設置面３２における並び方向（矢印Ｘ方向）の一方側（＋側）の端から端子厚み方向（矢印Ｚ方向）に沿って突出している。また、第６障壁３３ｆは、設置面３２における並び方向（矢印Ｘ方向）の他方側（−側）の端から端子厚み方向（矢印Ｚ方向）に沿って突出している。
【００１８】
第１障壁３３ａ、及び第２障壁３３ｂは、設置面３２の全域のうち、端子２Ｕの設置領域３２Ｕと、他の領域とを並び方向（矢印Ｘ方向）において隔てる壁である。また、第３障壁３３ｃ、及び第４障壁３３ｄは、設置面３２の全域のうち、端子２Ｖの設置領域３２Ｖと、他の領域とを並び方向（矢印Ｘ方向）において隔てる壁である。また、第５障壁３３ｅ、及び第６障壁３３ｆは、設置面３２の全域のうち、端子２Ｗの設置領域３２Ｗと、他の領域とを並び方向（矢印Ｘ方向）において隔てる壁である。
【００１９】
以下、第１障壁３３ａ、第２障壁３３ｂ、第３障壁３３ｃ、第４障壁３３ｄ、第５障壁３３ｅ、及び第６障壁３３ｆを総称して、障壁３３ａ〜ｆという。また、障壁３３ａ〜ｆの延在方向を、障壁延在方向という。
【００２０】
設置面３２の設置領域３２Ｕにおける障壁延在方向（矢印Ｙ方向）の一方側（＋側）の端部には、ナット３４Ｕが埋め込まれる。また、設置面３２の設置領域３２Ｖにおける障壁延在方向（矢印Ｙ方向）の一方側（＋側）の端部には、ナット３４Ｖが埋め込まれる。また、設置面３２の設置領域３２Ｗにおける障壁延在方向（矢印Ｙ方向）の一方側（＋側）の端部には、ナット３４Ｗが埋め込まれる。ナット３４Ｕ、ナット３４Ｖ、及びナット３４Ｗのそれぞれのねじ穴は、何れも本発明に係る端子台の台座の設置面に設けられる穴の一例である。また、ナット３４Ｕ、ナット３４Ｖ、及びナット３４Ｗのそれぞれに締め付けられるボルトは、何れも前述の穴に挿入される固定具の一例である。
【００２１】
端子２Ｕ、端子２Ｖ、及び端子２Ｗのそれぞれは、銅合金からなる金属板を打ち抜き加工して得られた矩形状の金属片の長手方向の一端側を、約９０〔°〕の角度で折り曲げ加工したものである。端子２Ｕは、第１端子部３Ｕと、第１端子部３Ｕの延在方向に対して約９０〔°〕の角度で延在する第２端子部４Ｕとを備える。端子２Ｖ、及び端子２Ｗも、端子２Ｕと同様の第１端子部（３Ｖ、３Ｗ）と、第２端子部（４Ｖ、４Ｗ）とを備える。
【００２２】
端子２Ｕの第１端子部３Ｕは、ボルトを貫通させるための貫通口３Ｕｃを、障壁延在方向（矢印Ｙ方向）の一方側（＋側）の端部に備える。端子２Ｖの第１端子部３Ｖ、端子２Ｗの第１端子部３Ｗも、端子２Ｕと同様の貫通口３Ｖｃ、貫通口３Ｗｃを備える。
【００２３】
端子２Ｕの第２端子部４Ｕは、ボルトを貫通させるための貫通口４Ｕｃを備える。端子２Ｖの第２端子部４Ｖ、端子２Ｗの第２端子部４Ｗも、端子２Ｕと同様の貫通口４Ｖｃ、貫通口４Ｗｃを備える。
【００２４】
図１において、端子２Ｕの第１端子部３Ｕには、モータなどの電源出力側の機器から延びてくるＵ相のケーブル端子が重ね合わせられる。そして、前述のケーブル端子の貫通口と、第１端子部３Ｕの貫通口（図３の３Ｕｃ）とに通されたボルトが、ナット３４Ｕのねじ穴に締め込まれることで、前述のケーブル端子と端子２Ｕとが台座３０に固定される。端子２Ｖ、端子２Ｗのそれぞれも、端子２Ｕと同様にして台座３０に固定される。
【００２５】
図２において、端子２Ｕの第２端子部４Ｕには、インバータなどの電源入力側の機器から延びてくるＵ相のケーブル端子が重ね合わされる。そして、前述のケーブル端子の貫通口と、第２端子部４Ｕの貫通口（図３の４Ｕｃ）とに通されたボルトが、ナット４１Ｕのねじ穴に締め込まれることで、前述のケーブル端子が第２端子部４Ｕに密着した状態で台座３０に固定される。Ｖ相、Ｗ相も同様にして、電源入力側の機器から延びてくるケーブル端子が台座３０に固定される。
【００２６】
図４は、台座３０を障壁延在方向（矢印Ｙ方向）の他方側（−側）から平面的に示す図である。台座３０の壁部４０には、ナット４１Ｕ、ナット４１Ｖ、及びナット４１Ｗが、障壁（図３の３３ａ〜ｆ）の並び方向（矢印Ｘ方向）に沿って並ぶ態様で埋め込まれる。また、台座３０の壁部４０には、並び方向（矢印Ｘ方向）に延在するスリット４２Ｕ、スリット４２Ｖ、及びスリット４２Ｗが、並び方向（矢印Ｘ方向）に沿って設けられる。スリット４２Ｕ、スリット４２Ｖ、及びスリット４２Ｗのそれぞれは、壁部４０を障壁延在方向（矢印Ｙ方向）に貫通する。
【００２７】
台部３１の設置面（図３の３２）の設置領域３２Ｕは、壁部４０のスリット４２Ｕを囲む複数の面の１つを構成する。また、スリット４２Ｕを囲む複数の面の他の１つは、設置領域３２Ｕに対向する対向面４３Ｕになっている。Ｖ相、Ｗ相においても、スリット４２Ｖ、スリット４２Ｗを囲む複数の面の１つを構成する設置領域３２Ｖ、設置領域３２Ｗに対し、スリット４２Ｖ、スリット４２Ｗを介して対向面４３Ｖ、対向面４３Ｗが対向する。
【００２８】
図５は、図４に示される台座３０における並び方向（矢印Ｘ方向）の中央部を拡大して示す図である。台座３０における並び方向（矢印Ｘ方向）の中央部には、Ｖ相用の各構成が設けられる。スリット４２Ｖ内においては、壁部４０の対向面４３Ｖと、台部３１の設置領域３２ＶとがＺ方向（端子厚み方向）に対向している。対向面４３Ｖには、対向面４３Ｖから設置領域３２Ｖに向けて突出する第１押圧突起４４Ｖ、及び第２押圧突起４５Ｖが設けられる。台座３０は、Ｕ相、Ｗ相のそれぞれについても、Ｖ相と同様の第１押圧突起、及び第２押圧突起を備える。
【００２９】
図６は、端子台１を図１の一点鎖線の位置で破断した断面における並び方向（矢印Ｘ方向）の中央部を示す断面図である。台座３０の壁部４０に設けられたスリット４２Ｖ内において、対向面４３Ｖから突出する第１押圧突起４４Ｖ、及び第２押圧突起４５Ｖのそれぞれは、第１端子部３Ｖに当接した状態で、第１端子部３Ｖを端子厚み方向に沿って設置領域３２Ｖに向けて強く押圧する。実施形態に係る端子台１によれば、前述の押圧により、第１端子部３Ｖを設置領域３２Ｖ上に強く拘束して、第１端子部３Ｖを備える端子（図３の２Ｖ）の台座３０からの脱落を抑えることができる。
【００３０】
図５、図６を用いて、Ｖ相用の各構成について説明したが、Ｕ相用、Ｗ相用の各構成もＶ相用と同様になっている。即ち、Ｕ相、Ｗ相においても、壁部４０に設けられたスリット（４２Ｕ、４２Ｗ）内において、対向面（４３Ｕ、４３Ｗ）から突出する第１押圧突起、及び第２押圧突起のそれぞれは、第１端子部（３Ｕ、３Ｗ）に当接する。そして、第１押圧突起、及び第２押圧突起のそれぞれは、第１端子部（３Ｕ、３Ｗ）を、端子厚み方向に沿って設置領域（３２Ｕ、３２Ｗ）に向けて強く押圧する。よって、実施形態に係る端子台１によれば、第１端子部（３Ｕ、３Ｗ）を設置領域（３２Ｕ、３２Ｗ）上に強く拘束して、第１端子部（３Ｕ、３Ｗ）を備える端子（図３の２Ｕ、２Ｗ））の台座３０からの脱落を抑えることができる。
【００３１】
ところで、特許文献１に記載の端子台において、２つの突起部の距離Ｄ１を端子の幅Ｗよりも小さくして、端子を２つの突起部に挟み込ませた場合、端子を設置面上に拘束する力を、２つの突起部によって端子に対して幅方向の両側から付与することになる。一方、実施形態に係る端子台１では、図６において、端子（図３の２Ｖ）を設置面３２Ｖ上に拘束する力を、次のように付与することになる。即ち、第１押圧突起４４Ｖと設置面３２Ｖとの組み合わせ、及び第２押圧突起４５Ｖと設置面３２Ｖとの組み合わせが、端子（２Ｖ）の第１端子部３Ｖに対して端子厚み方向（矢印Ｚ方向）の両側から力を付与する。つまり、特許文献１に記載の端子台が、端子に対して幅方向の両側から力を付与するのに対し、実施形態に係る端子台１が、端子（２Ｖ）に対して厚み方向の両側から力を付与する点で、両者は相違する。
【００３２】
特許文献１に記載の端子台では、「幅Ｗ−距離Ｄ１」が締め代であるのに対し、実施形態に係る端子台１では、「厚みＴ−距離Ｄ２」が締め代である。なお、幅Ｗは端子の幅であり、距離Ｄ１は２つの突起部の距離であり、厚みＴは端子の厚みであり、距離Ｄ２は、押圧突起と設置面との距離である。特許文献１に記載の端子台における締め代＝「幅Ｗ−距離Ｄ１」の幅Ｗは、金属板の打ち抜き加工精度に大きな影響を受ける。幅Ｗを所定の寸法誤差内に留めるためには、打ち抜き加工精度を一定に維持すべく、打ち抜き条件（圧力等）の適切な管理、打ち抜き型の定期的な交換など、加工条件を厳密に管理する必要があり、コスト高を引き起こしてしまう。一方、一般に市販されている金属板は、所定の寸法誤差内で出荷されるように製造管理されており、その寸法誤差であれば、実施形態に係る端子台１における締め代＝「厚みＴ−距離Ｄ２」にて求められる公差を容易に満足することが可能である。
【００３３】
よって、実施形態に係る端子台１によれば、端子（図３の２Ｕ、２Ｖ、２Ｗ）を高精度に加工することによるコスト高を抑えつつ、台座３０からの端子（２Ｕ、２Ｖ、２Ｗ）の脱落の発生を抑えることができる。
【００３４】
図１に示されるように、台座３０の壁部４０は、台部３１の障壁延在方向（矢印Ｙ方向）の他方側（−側）の端部に設けられる。そして、図４に示されるように、壁部４０には、各相のスリット（４２Ｕ、４２Ｖ、４２Ｗ）が設けられ、各相のスリット（４２Ｕ、４２Ｖ、４２Ｗ）内に対向面（４３Ｕ、４３Ｖ、４３Ｗ）が存在する。よって、各相において、対向面（４３Ｕ、４３Ｖ、４３Ｗ）は、設置領域（３２Ｕ、３２Ｖ、３２Ｗ）における障壁延在方向（矢印Ｙ方向）の一方側（＋側）の領域と、他方側（−側）の領域とのうち、他方側（−側）の領域だけに対向する。
【００３５】
かかる構成では、設置領域（３２Ｕ、３２Ｖ、３２Ｗ）における障壁延在方向（矢印Ｙ方向）の一方側（＋側）の領域に、対向面を形成するための天板等を設けることがない。このため、電源出力側のケーブル端子を第１端子部（３Ｕ、３Ｖ、３Ｗ）における障壁延在方向（矢印Ｙ方向）の一方側（＋側）の領域上にセットするときに、前述の天板等によってセット作業を阻害してしまうことを回避することができる。
【００３６】
図３に示されるように、端子２Ｕの第１端子部３Ｕは、第１突出部３Ｕａ、及び第２突出部３Ｕｂを備える。第１突出部３Ｕａは、端子幅方向（矢印Ｘ方向）の一方側（＋側）の側面から一方側（＋側）に向けて突出する。また、第２突出部３Ｕｂは、端子幅方向（矢印Ｘ方向）の他方側（−側）の側面から他方側（−側）に向けて突出する。第１突出部３Ｕａ、及び第２突出部３Ｕｂは何れも、第１端子部３Ｕにおける障壁延在方向（矢印Ｙ方向）の他方側（−側）の端部に設けられる。端子２Ｖの第１端子部３Ｖも、端子２Ｕの第１端子部３Ｕと同様の、第１突出部３Ｖａ、及び第２突出部３Ｖｂを備える。また、端子２Ｗの第１端子部３Ｗも、端子２Ｕの第１端子部３Ｕと同様の、第１突出部３Ｗａ、及び第２突出部３Ｗｂを備える。
【００３７】
図６に示されるように、第１端子部３Ｖの第１突出部３Ｖａは、上述の第１押圧突起４４Ｖによって設置領域３２Ｖに向けて押圧される。また、第１端子部３Ｖの第２突出部３Ｖｂは、上述の第２押圧突起４５Ｖによって設置領域３２Ｖに向けて押圧される。Ｕ相用、Ｗ相用の各構成においても、Ｖ相用の各構成と同様に、第１突出部（３Ｕａ、３Ｗａ）は、第１押圧突起（４４Ｕ、４４Ｖ）によって設置領域（３２Ｕ、３２Ｗ）に向けて押圧される。また、第２突出部（３Ｕｂ、３Ｗｂ）は、第２押圧突起（４５Ｕ、４５Ｗ）によって設置領域（３２Ｕ、３２Ｗ）に向けて押圧される。かかる構成では、第１端子部（３Ｕ、３Ｖ、３Ｗ）を幅方向にバランスよく押圧することができる。
【００３８】
図７は、端子台１を端子厚み方向（Ｚ方向）の端子側から平面的に示す図である。障壁３３ａ〜ｆの並び方向（矢印Ｘ方向）において、台座３０の第１障壁３３ａと第２障壁３３ｂとの間には、端子２Ｕの第１端子部３Ｕが配置される。第１障壁３３ａ、第２障壁３３ｂのそれぞれは、互いの間に配置された第１端子部３Ｕの並び方向（矢印Ｘ方向）の動きを規制する規制部３３ａ１、規制部３３ｂ１を備える。第１障壁３３ａの規制部３３ａ１は、第１障壁３３ａにおける第２障壁３３ｂとの対向面から第２障壁３３ｂに向けて突出している。また、第２障壁３３ｂの規制部３３ｂ１は、第２障壁３３ｂにおける第１障壁３３ａとの対向面から第１障壁３３ａに向けて突出している。
【００３９】
第１障壁３３ａ、第２障壁３３ｂについて説明したが、図７に示されるように、第３障壁３３ｃ、第４障壁３３ｄ、第５障壁３３ｅ、第６障壁３３ｆも、第１障壁３３ａと同様の規制部３３ｃ１、規制部３３ｄ１、規制部３３ｅ１、規制部３３ｆ１を備える。
【００４０】
かかる構成では、ボルト等の締め付けによって端子（２Ｕ、２Ｖ、２Ｗ）の第１端子部（３Ｕ、３Ｖ、３Ｗ）をケーブル端子とともに設置領域（図３の３２Ｕ、３２Ｖ、３２Ｗ）に固定するときに、締め付けに伴う端子のスキューの発生を回避することができる。
【００４１】
図８は、台座３０に対する端子２Ｕのセット操作が行われている最中の端子台１を示す斜視図である。図８では、セット操作における中期工程を示している。セット操作の初期工程では、端子２Ｕの第１端子部３Ｕの先端を、壁部４０のスリット（図４の４２Ｕ）に対して障壁延在方向（矢印Ｙ方向）の他方側（−側）から挿入する。セット操作の中期工程では、スリット（４２Ｕ）に通した第１端子部３Ｕを、図８の矢印Ａで示されるように、設置面３２Ｕ上で障壁延在方向（矢印Ｙ方向）の他方側（−側）から一方側（＋側）に向けてスライド移動させていく。かかる中期工程において、図８に示されるように、第１端子部３Ｕの第１突出部３Ｕａは、スリット（４２Ｕ）内に到達していない。図８では、死角になっていて示されていないが、第１端子部３Ｕの第２突出部（図３の３Ｕｂ）も、スリット（４２Ｕ）内に到達していない。セット操作における後期工程に至ると、移動する第１端子部３Ｕの第１突出部３Ｕａが、スリット（４２Ｕ）内の第１押圧突起（図６の４４Ｕ）を擦り始めて第１押圧突起のごく僅かな摩耗カスを発生させる。同時に、移動する第１端子部３Ｕの第２突出部（３Ｕｂ）が、スリット（４２Ｕ）内の第２押圧突起（図６の４５Ｕ）を擦り始めて第２押圧突起のごく僅かな摩耗カスを発生させる。
【００４２】
Ｕ相において、第１押圧突起（４４Ｕ）、及び第２押圧突起（４５Ｕ）を設けることなく、次のようにして第１端子部（３Ｕ）を設置領域（３２Ｕ）上に拘束することも可能である。即ち、第１端子部（３Ｕ）を規制部（３３ａ１）と規制部（３３ｂ１）との間に挟み込ませて設置領域（３２Ｕ）上に拘束するのである。しかしながら、かかる構成では、締め代が「幅Ｗ−規制部間距離Ｄ３」になることから、端子２Ｕを高精度に打ち抜き加工する必要が生じてコスト高を引き起こしてしまう。加えて、図１０に示されるように、セット操作の中期工程から、移動する第１端子部３Ｕによって規制部３３ｂ１を擦り始める。また、図１０では死角になっていて示されていないが、このとき、移動する第１端子部３Ｕによって第１障壁３３ａの規制部（３３ａ１）も擦り始める。このため、第１実施形態に係る端子台１に比べて、端子２Ｕを台座３０にセットするときよりも多くの摩耗カスを発生させてしまう。換言すれば、第１実施形態に係る端子台１では、規制部３３ｂ１、及び規制部（３３ａ１）によって第１端子部３Ｕを設置面３２Ｕ上に拘束する構成に比べて、台座３０（第１押圧突起、及び第２押圧突起）の摩耗カスの発生を低減することができる。摩耗カスは、モータなど、端子台１が搭載される機器（又は装置）に、電気的又は機械的な悪影響（電気的なショートや軸の回転阻害など）を及ぼすおそれがある。よって、摩耗カスの発生が低減されることで、摩耗カスに起因する機器（又は装置）の電気的又は機械的な不具合の発生が低減される。
【００４３】
従って、実施形態に係る端子台１によれば、規制部３３ｂ１、及び規制部（３３ａ１）によって第１端子部３Ｕを設置面３２Ｕ上に拘束する構成に比べて、端子台１が搭載される機器（又は装置）における電気的又は機械的な不具合の発生を低減することができる。
【００４４】
Ｖ相用の各構成、Ｗ相用の各構成も、Ｕ相用の各構成と同様である。即ち、規制部（３３ｃ１、３３ｄ１、３３ｅ１、３３ｆ１）によって第１端子部（３Ｖ、３Ｗ）を設置面（３２Ｖ、３２Ｗ）に拘束する場合に比べて機器（又は装置）の電気的又は機械的な不具合の発生を低減することができる。
【００４５】
図９は、並び方向（矢印Ｘ方向）と障壁延在方向（矢印Ｙ方向）とに延びる破断面で破断した状態の端子台１を示す断面図である。台座３０は、各相のそれぞれについて、障壁延在方向（矢印Ｙ方向）において、第１端子部（３Ｕ、３Ｖ、３Ｗ）の第１突出部（３Ｕａ、３Ｖａ、３Ｗａ）の一方側（＋側）の端に当接する第１当接壁（３３ａ２、３３ｃ２、３３ｅ２）を備える。また、台座３０は、障壁延在方向（矢印Ｙ方向）において、第１端子部（３Ｕ、３Ｖ、３Ｗ）の第２突出部（３Ｕｂ、３Ｖｂ、３Ｗｂ）の一方側（＋側）の端に当接する第２当接壁（３３ｂ２、３３ｄ２、３３ｆ２）を備える。
【００４６】
かかる構成では、第１突出部（３Ｕａ、３Ｖａ、３Ｗａ）に第１当接壁（３３ａ２、３３ｃ２、３３ｅ２）を当接させ、且つ第２突出部（３Ｕｂ、３Ｖｂ、３Ｗｂ）を第２当接壁（３３ｂ２、３３ｄ２、３３ｆ２）に当接させることで、次のことが可能になる。即ち、端子（２Ｕ、２Ｖ、２Ｗ）を障壁延在方向（矢印Ｙ方向）に位置決めすることができる。
【００４７】
本発明は上述の実施形態に限られず、本発明の構成を適用し得る範囲内で、実施形態とは異なる構成を採用することもできる。本発明は、以下に説明する態様毎に特有の作用効果を奏する。
【００４８】
〔第１態様〕
第１態様は、導電性の端子（例えば端子２Ｕ、端子２Ｖ、端子２Ｗ）と、前記端子を保持する絶縁性の台座（例えば台座３０）とを備え、前記台座が、前記端子を設置する設置面（例えば３２）を備える端子台（例えば端子台１）であって、前記台座が、前記設置面に設置された前記端子を介して前記設置面に対向する対向面（例えば対向面４３Ｕ、対向面４３Ｖ、対向面４３Ｗ）と、前記対向面から突出して前記端子を端子厚み方向に沿って前記設置面に向けて押圧する押圧突起とを備える、端子台である。
【００４９】
かかる構成によれば、実施形態で説明したように、端子を高精度に加工することによるコスト高を抑えつつ、台座からの端子の脱落の発生を抑えることができる。
【００５０】
〔第２態様〕
第２態様は、第１態様の構成を備え、前記台座が、前記設置面から突出した状態で、所定の並び方向（例えば矢印Ｙ方向）に並ぶ複数の障壁（例えば第１障壁３３ａ、第２障壁３３ｂ、第３障壁３３ｃ、第４障壁３３ｄ、第５障壁３３ｅ、第６障壁３３ｆ）を備え、前記端子が、端子長手方向の一方側（例えば矢印Ｙ方向の＋側）の領域に貫通口（例えば貫通口３Ｕｃ、貫通口３Ｖｃ、貫通口３Ｗｃ）を備え、且つ端子幅方向を前記並び方向に沿わせる姿勢で前記設置面に設置され、複数の前記障壁のそれぞれが、前記設置面における１つの前記端子の設置領域（例えば設置領域３２Ｕ、設置領域３２Ｖ、設置領域３２Ｗ）と、他の領域とを前記並び方向において隔てる壁であり、前記設置面が、前記障壁の延在方向における一方側（例えば＋側）の領域に穴（例えばナット３４Ｕ、ナット３４Ｖ、ナット３４Ｗのねじ穴）を備え、前記穴が、前記設置面に設置された前記端子の前記貫通口に通された固定具（例えばボルト）を挿入されるものであり、前記対向面が、前記設置面における前記延在方向の一方側（例えば＋側）の領域と、他方側（例えば−側）の領域とのうち、他方側の領域だけに対向する、端子台である。
【００５１】
かかる構成によれば、電源出力側のケーブル端子を第１端子部における障壁延在方向の一方側の領域上にセットするときに、対向面を形成するための天板等によってセット作業を阻害してしまうことを回避することができる。
【００５２】
〔第３態様〕
第３態様は、第２態様の構成を備え、前記端子が、端子幅方向の一方側（例えば矢印Ｘ方向の＋側）の側面から一方側に向けて突出する第１突出部（例えば第１突出部３Ｕａ、第１突出部３Ｖａ、第１突出部３Ｗａ）と、端子幅方向の他方側（例えば矢印Ｘ方向の−側）の側面から他方側に向けて突出する第２突出部（例えば第２突出部３Ｕｂ、第２突出部３Ｖｂ、第２突出部３Ｗｂ）とを、前記延在方向における他方側（例えば−側）の端部に備え、前記台座が、前記押圧突起として、前記端子の前記第１突出部を前記設置面に向けて押圧する第１押圧突起（例えば第１押圧突起４４Ｕ、第１押圧突起４４Ｖ、第１押圧突起４４Ｗ）と、前記端子の前記第２突出部を前記設置面に向けて押圧する第２押圧突起（例えば第２押圧突起４５Ｕ、第２押圧突起４５Ｖ、第２押圧突起４５Ｗ）とを備える、端子台である。
【００５３】
かかる構成によれば、端子を端子幅方向にバランスよく押圧することができる。更には、第３態様によれば、障壁に設けた規制部によって端子を設置面上に拘束する構成に比べて、端子台が搭載される機器（又は装置）における電気的又は機械的な不具合の発生を低減することができる。
【００５４】
〔第４態様〕
第４態様は、第３態様の構成を備え、前記台座が、前記延在方向において、前記第１突出部の一方側の端に当接する第１当接壁（例えば第１当接壁３３ａ２、第１当接壁３３ｃ２、第１当接壁３３ｅ２）と、前記第２突出部の一方側の端に当接する第２当接壁（例えば第２当接壁３３ｂ２、第２当接壁３３ｄ２、第２当接壁３３ｆ２）とを備える、端子台である
【００５５】
かかる構成によれば、第１当接壁、及び第２当接壁により、端子を障壁延在方向に位置決めすることができる。
【００５６】
〔第５態様〕
第５態様は、第４態様の構成を備え、前記並び方向において互いに対向する２つの前記障壁のそれぞれが、互いの間に設置された前記端子の前記並び方向の動きを規制する規制部（例えば規制部３３ａ１、規制部３３ｂ１、規制部３３ｃ１、規制部３３ｄ１、規制部３３ｅ１、規制部３３ｆ１）を備える、端子台である。
【００５７】
かかる構成によれば、ボルト等の締め付けによって端子をケーブル端子とともに設置領域に固定するときに、締め付けに伴う端子のスキューの発生を回避することができる。
【産業上の利用可能性】
【００５８】
本発明は、ケーブル端子を固定する機能を備えるモータ、機器などに適用が可能である。
【符号の説明】
【００５９】
１：端子台、    ２Ｕ，２Ｖ，２Ｗ：端子、    ３Ｕ，３Ｖ，３Ｗ：第１端子部、    ３Ｕａ，３Ｖａ，３Ｗａ：第１突出部、    ３Ｕｂ，３Ｖｂ，３Ｗｂ：第２突出部、    ３Ｕｃ，３Ｖｃ，３Ｗｃ：貫通口、    ４Ｕ，４Ｖ，４Ｗ：第２端子部、    ３０：台座、    ３２：設置面、    ３２Ｕ，３２Ｖ，３２Ｗ：設置領域、    ３３ａ：第１障壁（障壁）、    ３３ｂ：第２障壁（障壁）、    ３３ｃ：第３障壁（障壁）、    ３３ｄ：第４障壁（障壁）、    ３３ｅ：第５障壁（障壁）、    ３３ｆ：第６障壁（障壁）、    ３３ａ１，３３ｂ１，３３ｃ１，３３ｄ１，３３ｅ１，３３ｆ１：規制部、    ３３ａ２，３３ｃ２，３３ｅ２：第１当接壁、    ３３ｂ１，３３ｄ１，３３ｆ１：第２当接壁、    ３４Ｕ，３４Ｖ，３４Ｗ：ナット、    ４３Ｕ，４３Ｖ，４３Ｗ：対向面、    ４４Ｕ，４４Ｖ，４４Ｗ：第１押圧突起、    ４５Ｕ，４５Ｖ，４５Ｗ：第２押圧突起、    Ｘ：並び方向、    Ｙ：障壁延在方向、    Ｚ：端子厚み方向
【要約】      （修正有）【課題】端子を高精度に加工することによるコスト高を抑えつつ、台座からの端子の脱落の発生を抑えることができる端子台を提供する。【解決手段】導電性の端子と、端子を保持する絶縁性の台座３０とを備え、台座３０が、端子を設置する設置面を備える端子台１であって、台座３０が、設置面に設置された端子の第１端子部３Ｖを介して設置面に対向する対向面４３Ｖと、対向面４３Ｖから突出して第１端子部３Ｖを端子厚み方向に沿って設置面に向けて押圧する第１押圧突起４４Ｖ、及び第２押圧突起４５Ｖとを備える。【選択図】図６【図１】
0006787458.tif 000002
【図２】
0006787458.tif 000003
【図３】
0006787458.tif 000004
【図４】
0006787458.tif 000005
【図５】
0006787458.tif 000006
【図６】
0006787458.tif 000007
【図７】
0006787458.tif 000008
【図８】
0006787458.tif 000009
【図９】
0006787458.tif 000010